(57)【要約】【課題】ＩＰ電話網へのトラフィック集中を防止し、輻輳の影響範囲を最小限に抑止可能な輻輳制御システムを提供する。【解決手段】加入者の電話機１０，ＰＣ１１などのＩＰ通信端末をゲートウェイ９を介して接続するアクセス網８と加入者にＩＰ電話サービスを提供するコア網６との間のエッジ領域に、コア網６の輻輳状態と加入者の優先度とに応じて加入者の発信要求を制御するサービスエッジノード１と加入者へコア網６を介さずにガイダンスを送信するガイダンスサーバ２とを配置する。サービスエッジノード１は、コア網６の軽輻輳時は、優先加入者の発信要求を呼制御サーバ５に接続を行い、低優先度の一般加入者の発信要求はガイダンスサーバ２に転送する。コア網６が重輻輳時は、加入者の優先度如何によらず、加入者の発信要求をすべてガイダンスサーバ２に転送する。ガイダンスサーバ２は、輻輳状態を示すガイダンスを発信元の加入者へ送信する。【選択図】図１
2008244685.tif 000002
【特許請求の範囲】
【請求項１】
ＩＰパケットを用いて電話呼の通話処理を行うＩＰ電話網の輻輳を制御する輻輳制御システムにおいて、加入者のＩＰ通信端末を接続するアクセス網と、該加入者に対するＩＰ電話サービスを提供するコア網との間に位置するエッジ領域に、前記コア網の輻輳状態に応じて前記ＩＰ通信端末からのＩＰ電話の発信要求を制御するサービスエッジノードと、前記コア網を介することなく、前記ＩＰ通信端末へガイダンスサービスを提供するガイダンスサーバとを少なくとも配置していることを特徴とする輻輳制御システム。
【請求項２】
前記サービスエッジノードは、前記コア網の輻輳状態とＩＰ電話用の加入者の優先度とに応じて、前記ＩＰ通信端末からのＩＰ電話の発信要求を制御することを特徴とする請求項１に記載の輻輳制御システム。
【請求項３】
前記サービスエッジノードは、前記コア網が輻輳状態ではない通常状態にある場合には、加入者の優先度如何によらず、加入者の前記ＩＰ通信端末からのＩＰ電話の発信要求をすべて、前記コア網内にあって、当該加入者を収容してＩＰ電話の接続制御を行う呼制御サーバに対して接続を行うことを特徴とする請求項２に記載の輻輳制御システム。
【請求項４】
前記サービスエッジノードは、前記コア網が軽輻輳状態にある場合には、優先度が高い優先加入者の前記ＩＰ通信端末からのＩＰ電話の発信要求を前記呼制御サーバに対して接続を行う一方、優先度が低い一般加入者の前記ＩＰ通信端末からのＩＰ電話の発信要求を前記ガイダンスサーバに転送し、該ガイダンスサーバから輻輳状態にある旨のガイダンスを発信元の前記ＩＰ通信端末へ送信することを特徴とする請求項２または３に記載の輻輳制御システム。
【請求項５】
前記サービスエッジノードは、前記コア網が重輻輳状態にある場合には、加入者の優先度如何によらず、加入者の前記ＩＰ通信端末からのＩＰ電話の発信要求をすべて、前記ガイダンスサーバに転送し、該ガイダンスサーバから輻輳状態にある旨のガイダンス情報を発信元の前記ＩＰ通信端末へ送信することを特徴とする請求項２ないし４のいずれかに記載の輻輳制御システム。
【請求項６】
前記サービスエッジノードは、前記コア網を構成する各装置の輻輳状態を検出する輻輳制御ノードを含む外部から、前記コア網の輻輳状態の通知を受信することにより、受信した前記コア網の輻輳状態に応じて、前記ＩＰ通信端末からのＩＰ電話の発信要求を制御することを特徴とする請求項１ないし５のいずれかに記載の輻輳制御システム。
【請求項７】
前記サービスエッジノードは、ユーザによって入力されるコマンドの指示に応じて、前記ＩＰ通信端末からのＩＰ電話の発信要求を制御することを特徴とする請求項１ないし６のいずれかに記載の輻輳制御システム。
【請求項８】
前記サービスエッジノードは、当該サービスエッジノードのトラフィック量があらかじめ定めた閾値を超えたか否かに応じて、自律的に、前記ＩＰ通信端末からのＩＰ電話の発信要求を制御することを特徴とする請求項１ないし７のいずれかに記載の輻輳制御システム。
【請求項９】
前記サービスエッジノードのトラフィック量の閾値として、単位時間当たりの呼数、呼量、あるいは、同時接続数のいずれかを少なくとも含むことを特徴とする請求項８に記載の輻輳制御システム。
【請求項１０】
前記ガイダンスサーバは、前記ＩＰ通信端末からのＩＰ電話の発信要求が転送されてきた際に、発信元の前記ＩＰ通信端末へ送信する前記ガイダンス情報として、前記コア網の輻輳状態を示す音声または映像のいずれかを用いたガイダンスを送信することを特徴とする請求項１ないし９のいずれかに記載の輻輳制御システム。
【請求項１１】
前記ガイダンスサーバは、前記ＩＰ通信端末からのＩＰ電話の発信要求が転送されてきた際に、発信元の前記ＩＰ通信端末へ接続を拒否した旨を示す接続不可通知信号を送信することを特徴とする請求項１ないし１０のいずれかに記載の輻輳制御システム。
【請求項１２】
前記ＩＰ通信端末は、前記ガイダンスサーバから前記接続不可通知信号を受信した際に、ＩＰ電話用の発信動作を抑止する発信規制状態に設定することを特徴とする請求項１１に記載の輻輳制御システム。
【請求項１３】
前記ＩＰ通信端末は、前記ガイダンスサーバから前記接続不可通知信号を受信した際に、受信した接続不可通信信号が示す接続拒否の内容をユーザへ通知可能な情報に編集して、当該ＩＰ通信端末のディスプレイに画面表示することを特徴とする請求項１１または１２に記載の輻輳制御システム。
【請求項１４】
前記ガイダンスサーバから発信元の前記ＩＰ通信端末へ送信される前記接続不可通知信号を中継転送する前記アクセス網または該アクセス網へのゲートウェイ機能を有するゲートウェイ装置は、該接続不可通知信号を受信した際に、前記コア網に対する発信要求を抑止する発信規制状態に設定することを特徴とする請求項１１ないし１３のいずれかに記載の輻輳制御システム。
【請求項１５】
前記ガイダンスサーバから発信元の前記ＩＰ通信端末へ送信される前記接続不可通知信号を中継転送する前記アクセス網または該アクセス網へのゲートウェイ機能を有するゲートウェイ装置は、前記接続不可通知信号を終端させ、前記接続不可通知信号が示す接続不可の内容を音声または映像によるメッセージとして生成して、発信元の前記ＩＰ通信端末に対して送信することを特徴とする請求項１１ないし１４のいずれかに記載の輻輳制御システム。
【請求項１６】
ＩＰパケットを用いて電話呼の通話処理を行うＩＰ電話網の輻輳を制御する輻輳制御システムを構成するサービスエッジノードであって、加入者のＩＰ通信端末を接続するアクセス網と、該加入者に対するＩＰ電話サービスを提供するコア網との間に位置するエッジ領域に配置されて、前記コア網の輻輳状態に応じて前記ＩＰ通信端末からのＩＰ電話の発信要求を制御することを特徴とするサービスエッジノード。
【請求項１７】
前記コア網の輻輳状態とＩＰ電話用の加入者の優先度とに応じて、前記ＩＰ通信端末からのＩＰ電話の発信要求を制御することを特徴とする請求項１６に記載のサービスエッジノード。
【請求項１８】
前記コア網が輻輳状態ではない通常状態にある場合には、加入者の優先度如何によらず、加入者の前記ＩＰ通信端末からのＩＰ電話の発信要求をすべて、前記コア網内にあって、当該加入者を収容してＩＰ電話の接続制御を行う呼制御サーバに対して接続を行うことを特徴とする請求項１７に記載のサービスエッジノード。
【請求項１９】
前記コア網が軽輻輳状態にある場合には、優先度が高い優先加入者の前記ＩＰ通信端末からのＩＰ電話の発信要求を前記呼制御サーバに対して接続を行う一方、優先度が低い一般加入者の前記ＩＰ通信端末からのＩＰ電話の発信要求を、前記エッジ領域に配置されて、前記ＩＰ通信端末へガイダンスサービスを提供するガイダンスサーバに転送し、該ガイダンスサーバから輻輳状態にある旨のガイダンスを発信元の前記ＩＰ通信端末へ送信することを特徴とする請求項１７または１８に記載のサービスエッジノード。
【請求項２０】
前記コア網が重輻輳状態にある場合には、加入者の優先度如何によらず、加入者の前記ＩＰ通信端末からのＩＰ電話の発信要求をすべて、前記エッジ領域に配置されて、前記ＩＰ通信端末へガイダンスサービスを提供するガイダンスサーバに転送し、該ガイダンスサーバから輻輳状態にある旨のガイダンス情報を発信元の前記ＩＰ通信端末へ送信することを特徴とする請求項１７ないし１９のいずれかに記載のサービスエッジノード。
【請求項２１】
前記コア網を構成する各装置の輻輳状態を検出する輻輳制御ノードからの通知を受信することにより、受信した前記コア網の輻輳状態に応じて、前記ＩＰ通信端末からのＩＰ電話の発信要求を制御することを特徴とする請求項１６ないし２０のいずれかに記載のサービスエッジノード。
【請求項２２】
ユーザによって入力されるコマンドの指示に応じて、前記ＩＰ通信端末からのＩＰ電話の発信要求を制御することを特徴とする請求項１６ないし２１のいずれかに記載のサービスエッジノード。
【請求項２３】
当該サービスエッジノードのトラフィック量があらかじめ定めた閾値を超えたか否かに応じて、自律的に、前記ＩＰ通信端末からのＩＰ電話の発信要求を制御することを特徴とする請求項１６ないし２２のいずれかに記載のサービスエッジノード。
【請求項２４】
当該サービスエッジノードのトラフィック量の閾値として、単位時間当たりの呼数、呼量、あるいは、同時接続数のいずれかを少なくとも含むことを特徴とする請求項２３に記載のサービスエッジノード。
【請求項２５】
ＩＰパケットを用いて電話呼の通話処理を行うＩＰ電話網の輻輳を制御する輻輳制御システムを構成するガイダンスサーバであって、加入者のＩＰ通信端末を接続するアクセス網と、該加入者に対するＩＰ電話サービスを提供するコア網との間に位置するエッジ領域に配置されて、前記コア網を介することなく、前記ＩＰ通信端末へガイダンスサービスを提供することを特徴とするガイダンスサーバ。
【請求項２６】
前記ＩＰ通信端末からのＩＰ電話の発信要求が転送されてきた際に、発信元の前記ＩＰ通信端末へ送信する前記ガイダンス情報として、前記コア網の輻輳状態を示す音声または映像のいずれかを用いたガイダンスを送信することを特徴とする請求項２５に記載のガイダンスサーバ。
【請求項２７】
前記ＩＰ通信端末からのＩＰ電話の発信要求が転送されてきた際に、発信元の前記ＩＰ通信端末へ接続を拒否した旨を示す接続不可通知信号を送信することを特徴とする請求項２５または２６に記載のガイダンスサーバ。
【請求項２８】
ＩＰパケットを用いて電話呼の通話処理を行うＩＰ電話網の輻輳を制御する輻輳制御方法であって、加入者のＩＰ通信端末を接続するアクセス網と、該加入者に対するＩＰ電話サービスを提供するコア網との間に位置するエッジ領域に配置されたサービスエッジノードにより前記コア網の輻輳状態に応じて前記ＩＰ通信端末からのＩＰ電話の発信要求を制御し、前記エッジ領域に配置されたガイダンスサーバにより前記ＩＰ通信端末へガイダンスサービスを提供することを特徴とする輻輳制御方法。
【請求項２９】
前記サービスエッジノードは、前記コア網の輻輳状態とＩＰ電話用の加入者の優先度とに応じて、前記ＩＰ通信端末からのＩＰ電話の発信要求を制御することを特徴とする請求項２８に記載の輻輳制御方法。
【請求項３０】
前記サービスエッジノードは、前記コア網が輻輳状態ではない通常状態にある場合には、加入者の優先度如何によらず、加入者の前記ＩＰ通信端末からのＩＰ電話の発信要求をすべて、前記コア網内にあって、当該加入者を収容してＩＰ電話の接続制御を行う呼制御サーバに対して接続を行うことを特徴とする請求項２９に記載の輻輳制御方法。
【請求項３１】
前記サービスエッジノードは、前記コア網が軽輻輳状態にある場合には、優先度が高い優先加入者の前記ＩＰ通信端末からのＩＰ電話の発信要求を前記呼制御サーバに対して接続を行う一方、優先度が低い一般加入者の前記ＩＰ通信端末からのＩＰ電話の発信要求を前記ガイダンスサーバに転送し、該ガイダンスサーバから輻輳状態にある旨のガイダンスを発信元の前記ＩＰ通信端末へ送信することを特徴とする請求項２９または３０に記載の輻輳制御方法。
【請求項３２】
前記サービスエッジノードは、前記コア網が重輻輳状態にある場合には、加入者の優先度如何によらず、加入者の前記ＩＰ通信端末からのＩＰ電話の発信要求をすべて、前記ガイダンスサーバに転送し、該ガイダンスサーバから輻輳状態にある旨のガイダンス情報を発信元の前記ＩＰ通信端末へ送信することを特徴とする請求項２９ないし３１のいずれかに記載の輻輳制御方法。
【請求項３３】
前記ガイダンスサーバは、前記ＩＰ通信端末からのＩＰ電話の発信要求が転送されてきた際に、発信元の前記ＩＰ通信端末へ送信する前記ガイダンス情報として、前記コア網の輻輳状態を示す音声または映像のいずれかを用いたガイダンスを送信することを特徴とする請求項２８ないし３２のいずれかに記載の輻輳制御方法。
【請求項３４】
前記ガイダンスサーバは、前記ＩＰ通信端末からのＩＰ電話の発信要求が転送されてきた際に、発信元の前記ＩＰ通信端末へ接続を拒否した旨を示す接続不可通知信号を送信することを特徴とする請求項２８ないし３３のいずれかに記載の輻輳制御方法。
【請求項３５】
請求項２８ないし３４のいずれかに記載の輻輳制御方法を、コンピュータにより実行可能なプログラムとして実施することを特徴とする輻輳制御プログラム。
【請求項３６】
請求項３５に記載の輻輳制御プログラムを、コンピュータにより読み取り可能な記録媒体に記録していることを特徴とするプログラム記録媒体。
【発明の詳細な説明】
【技術分野】
【０００１】
本発明は、輻輳制御システム、サービスエッジノード、ガイダンスサーバ、輻輳制御方法、輻輳制御プログラム及びプログラム記録媒体に関し、特に、ＩＰ網に適用する輻輳制御システム、サービスエッジノード、ガイダンスサーバ、輻輳制御方法、輻輳制御プログラム及びプログラム記録媒体に関する。
【背景技術】
【０００２】
近年、特許文献１の特開２００５−２６９１９７号公報「ＩＰ電話システムおよびその方法」などにも記載されているように、音声情報をＩＰパケットを用いて送受信する通信形態であっても、音声品質が格段に向上してきており、電話網として、従来の電話交換網（ＰＳＴＮ）に代わって、ＩＰ電話サービスネットワーク（ＩＰネットワーク上のサービスネットワーク）が急速に普及する状況になってきている。
【特許文献１】特開２００５−２６９１９７号公報（第７−９頁）
【発明の開示】
【発明が解決しようとする課題】
【０００３】
しかしながら、従来の電話交換機ベースの電話網(ＰＳＴＮ:Public Switching Telephone Network)とは異なり、ＩＰ電話網の場合、一般的に、加入者を収容する装置つまり呼制御サーバが複数の箇所に分散配置されているのではなく、１箇所あるいは多くても数箇所のサーバに集中的に配置されて構成している場合が多い。また、１台の呼制御サーバが収容する加入者数は、従来の電話交換機の場合よりもはるかに多い加入者を収容し、かつ、１台の呼制御サーバ内には様々な地域の加入者情報が混在しているために、輻輳などといった障害が発生すると、その影響範囲が、広範囲に及んでしまう。
【０００４】
すなわち、ＩＰ電話網では、加入者を収容する呼制御サーバのように、ＩＰ電話用の制御信号をやり取りする装置が集中配置されており、ＩＰ電話呼が大量に発生すると、広範囲の地域の加入者を収容している呼制御サーバ等にトラフィックが集中してしまうため、呼制御サーバ等に輻輳状態が発生し、ＩＰ電話呼がつながりにくくなる、あるいは、ＩＰ電話呼が全くできなくなるという状態に陥る。
【０００５】
また、加入者への音声案内などの各種のガイダンスサービスを提供するガイダンスサーバつまり案内装置も、加入者を収容する呼制御サーバと連携して動作しているため、呼制御サーバが加入者の発信要求に対して処理できないような輻輳状態に陥っている場合には、該案内装置も、輻輳状態の発生等のガイダンスサービスを提供することができなくなる。
【０００６】
この結果、加入者は、何が起きているかが分からず、何度も、ＩＰ電話をかけ直すといった行為を繰り返すことになり、輻輳状態がさらに加速することになる。そのために、ＩＰ電話網全体に輻輳が波及してしまい、輻輳状態がいつまでも継続して、回復にかなりの時間を要するという重大事態に陥ってしまう。
【０００７】
本発明は、かかる事情に鑑みてなされたものであり、ＩＰ電話網の輻輳状態を監視し、ＩＰトラフィックの流れを制御する輻輳制御システムを備え、該輻輳制御システムとして、加入者を収容する呼制御サーバ等の上位装置がトラフィックの集中により輻輳状態に陥ったことを検出した場合、加入者からの発信要求を制御するサービスエッジノードを、加入者を接続するアクセス網と加入者を収容しＩＰ電話サービスを提供するコア網との境界領域つまりエッジ領域に設置することによって、呼制御サーバ等の上位装置へのトラフィック集中を防止し、輻輳の影響範囲を最小限に抑止することを可能とすることを目的としている。
【０００８】
さらに、輻輳制御システムとして、加入者への各種ガイダンスサービス（音声ガイダンスや映像ガイダンス等のサービス）を提供するガイダンスサーバつまり案内装置を、加入者を収容するための入口となる前記エッジ領域に設置することによって、呼制御サーバ等の上位装置と連携動作をすることなく、ガイダンスサービスを、電話機やＰＣなどのＩＰ通信端末に対して、確実に通知することを可能とすることを目的としている。
【課題を解決するための手段】
【０００９】
前述の課題を解決するため、本発明による輻輳制御システム、サービスエッジノード、ガイダンスサーバ、輻輳制御方法、輻輳制御プログラム及びプログラム記録媒体は、次のような特徴的な構成を採用している。
【００１０】
（１）ＩＰパケットを用いて電話呼の通話処理を行うＩＰ電話網の輻輳を制御する輻輳制御システムにおいて、加入者のＩＰ通信端末を接続するアクセス網と、該加入者に対するＩＰ電話サービスを提供するコア網との間に位置するエッジ領域に、前記コア網の輻輳状態に応じて前記ＩＰ通信端末からのＩＰ電話の発信要求を制御するサービスエッジノードと、前記コア網を介することなく、前記ＩＰ通信端末へガイダンスサービスを提供するガイダンスサーバとを少なくとも配置している輻輳制御システム。
（２）前記サービスエッジノードは、前記コア網の輻輳状態とＩＰ電話用の加入者の優先度とに応じて、前記ＩＰ通信端末からのＩＰ電話の発信要求を制御する上記（１）の輻輳制御システム。
（３）前記サービスエッジノードは、前記コア網が輻輳状態ではない通常状態にある場合には、加入者の優先度如何によらず、加入者の前記ＩＰ通信端末からのＩＰ電話の発信要求をすべて、前記コア網内にあって、当該加入者を収容してＩＰ電話の接続制御を行う呼制御サーバに対して接続を行う上記（２）の輻輳制御システム。
（４）前記サービスエッジノードは、前記コア網が軽輻輳状態にある場合には、優先度が高い優先加入者の前記ＩＰ通信端末からのＩＰ電話の発信要求を前記呼制御サーバに対して接続を行う一方、優先度が低い一般加入者の前記ＩＰ通信端末からのＩＰ電話の発信要求を前記ガイダンスサーバに転送し、該ガイダンスサーバから輻輳状態にある旨のガイダンスを発信元の前記ＩＰ通信端末へ送信する上記（２）または（３）の輻輳制御システム。
（５）前記サービスエッジノードは、前記コア網が重輻輳状態にある場合には、加入者の優先度如何によらず、加入者の前記ＩＰ通信端末からのＩＰ電話の発信要求をすべて、前記ガイダンスサーバに転送し、該ガイダンスサーバから輻輳状態にある旨のガイダンス情報を発信元の前記ＩＰ通信端末へ送信する上記（２）ないし（４）のいずれかの輻輳制御システム。
（６）前記サービスエッジノードは、前記コア網を構成する各装置の輻輳状態を検出する輻輳制御ノードを含む外部から、前記コア網の輻輳状態の通知を受信することにより、受信した前記コア網の輻輳状態に応じて、前記ＩＰ通信端末からのＩＰ電話の発信要求を制御する上記（１）ないし（５）のいずれかの輻輳制御システム。
（７）前記サービスエッジノードは、ユーザによって入力されるコマンドの指示に応じて、前記ＩＰ通信端末からのＩＰ電話の発信要求を制御する上記（１）ないし（６）のいずれかの輻輳制御システム。
（８）前記サービスエッジノードは、当該サービスエッジノードのトラフィック量があらかじめ定めた閾値を超えたか否かに応じて、自律的に、前記ＩＰ通信端末からのＩＰ電話の発信要求を制御する上記（１）ないし（７）のいずれかの輻輳制御システム。
（９）前記サービスエッジノードのトラフィック量の閾値として、単位時間当たりの呼数、呼量、あるいは、同時接続数のいずれかを少なくとも含む上記（８）の輻輳制御システム。
（１０）前記ガイダンスサーバは、前記ＩＰ通信端末からのＩＰ電話の発信要求が転送されてきた際に、発信元の前記ＩＰ通信端末へ送信する前記ガイダンス情報として、前記コア網の輻輳状態を示す音声または映像のいずれかを用いたガイダンスを送信する上記（１）ないし（９）のいずれかの輻輳制御システム。
（１１）前記ガイダンスサーバは、前記ＩＰ通信端末からのＩＰ電話の発信要求が転送されてきた際に、発信元の前記ＩＰ通信端末へ接続を拒否した旨を示す接続不可通知信号を送信する上記（１）ないし（１０）のいずれかの輻輳制御システム。
（１２）前記ＩＰ通信端末は、前記ガイダンスサーバから前記接続不可通知信号を受信した際に、ＩＰ電話用の発信動作を抑止する発信規制状態に設定する上記（１１）の輻輳制御システム。
（１３）前記ＩＰ通信端末は、前記ガイダンスサーバから前記接続不可通知信号を受信した際に、受信した接続不可通信信号が示す接続拒否の内容をユーザへ通知可能な情報に編集して、当該ＩＰ通信端末のディスプレイに画面表示する上記（１１）または（１２）の輻輳制御システム。
（１４）前記ガイダンスサーバから発信元の前記ＩＰ通信端末へ送信される前記接続不可通知信号を中継転送する前記アクセス網または該アクセス網へのゲートウェイ機能を有するゲートウェイ装置は、該接続不可通知信号を受信した際に、前記コア網に対する発信要求を抑止する発信規制状態に設定する上記（１１）ないし（１３）のいずれかの輻輳制御システム。
（１５）前記ガイダンスサーバから発信元の前記ＩＰ通信端末へ送信される前記接続不可通知信号を中継転送する前記アクセス網または該アクセス網へのゲートウェイ機能を有するゲートウェイ装置は、前記接続不可通知信号を終端させ、前記接続不可通知信号が示す接続不可の内容を音声または映像によるメッセージとして生成して、発信元の前記ＩＰ通信端末に対して送信する上記（１１）ないし（１４）のいずれかの輻輳制御システム。
（１６）ＩＰパケットを用いて電話呼の通話処理を行うＩＰ電話網の輻輳を制御する輻輳制御システムを構成するサービスエッジノードであって、加入者のＩＰ通信端末を接続するアクセス網と、該加入者に対するＩＰ電話サービスを提供するコア網との間に位置するエッジ領域に配置されて、前記コア網の輻輳状態に応じて前記ＩＰ通信端末からのＩＰ電話の発信要求を制御するサービスエッジノード。
（１７）前記コア網の輻輳状態とＩＰ電話用の加入者の優先度とに応じて、前記ＩＰ通信端末からのＩＰ電話の発信要求を制御する上記（１６）のサービスエッジノード。
（１８）前記コア網が輻輳状態ではない通常状態にある場合には、加入者の優先度如何によらず、加入者の前記ＩＰ通信端末からのＩＰ電話の発信要求をすべて、前記コア網内にあって、当該加入者を収容してＩＰ電話の接続制御を行う呼制御サーバに対して接続を行う上記（１７）のサービスエッジノード。
（１９）前記コア網が軽輻輳状態にある場合には、優先度が高い優先加入者の前記ＩＰ通信端末からのＩＰ電話の発信要求を前記呼制御サーバに対して接続を行う一方、優先度が低い一般加入者の前記ＩＰ通信端末からのＩＰ電話の発信要求を、前記エッジ領域に配置されて、前記ＩＰ通信端末へガイダンスサービスを提供するガイダンスサーバに転送し、該ガイダンスサーバから輻輳状態にある旨のガイダンスを発信元の前記ＩＰ通信端末へ送信する上記（１７）または（１８）のサービスエッジノード。
（２０）前記コア網が重輻輳状態にある場合には、加入者の優先度如何によらず、加入者の前記ＩＰ通信端末からのＩＰ電話の発信要求をすべて、前記エッジ領域に配置されて、前記ＩＰ通信端末へガイダンスサービスを提供するガイダンスサーバに転送し、該ガイダンスサーバから輻輳状態にある旨のガイダンス情報を発信元の前記ＩＰ通信端末へ送信する上記（１７）ないし（１９）のいずれかのサービスエッジノード。
（２１）前記コア網を構成する各装置の輻輳状態を検出する輻輳制御ノードからの通知を受信することにより、受信した前記コア網の輻輳状態に応じて、前記ＩＰ通信端末からのＩＰ電話の発信要求を制御する上記（１６）ないし（２０）のいずれかのサービスエッジノード。
（２２）ユーザによって入力されるコマンドの指示に応じて、前記ＩＰ通信端末からのＩＰ電話の発信要求を制御する上記（１６）ないし（２１）のいずれかのサービスエッジノード。
（２３）当該サービスエッジノードのトラフィック量があらかじめ定めた閾値を超えたか否かに応じて、自律的に、前記ＩＰ通信端末からのＩＰ電話の発信要求を制御する上記（１６）ないし（２２）のいずれかのサービスエッジノード。
（２４）当該サービスエッジノードのトラフィック量の閾値として、単位時間当たりの呼数、呼量、あるいは、同時接続数のいずれかを少なくとも含む上記（２３）のサービスエッジノード。
（２５）ＩＰパケットを用いて電話呼の通話処理を行うＩＰ電話網の輻輳を制御する輻輳制御システムを構成するガイダンスサーバであって、加入者のＩＰ通信端末を接続するアクセス網と、該加入者に対するＩＰ電話サービスを提供するコア網との間に位置するエッジ領域に配置されて、前記コア網を介することなく、前記ＩＰ通信端末へガイダンスサービスを提供するガイダンスサーバ。
（２６）前記ＩＰ通信端末からのＩＰ電話の発信要求が転送されてきた際に、発信元の前記ＩＰ通信端末へ送信する前記ガイダンス情報として、前記コア網の輻輳状態を示す音声または映像のいずれかを用いたガイダンスを送信する上記（２５）のガイダンスサーバ。
（２７）前記ＩＰ通信端末からのＩＰ電話の発信要求が転送されてきた際に、発信元の前記ＩＰ通信端末へ接続を拒否した旨を示す接続不可通知信号を送信する上記（２５）または（２６）のガイダンスサーバ。
（２８）ＩＰパケットを用いて電話呼の通話処理を行うＩＰ電話網の輻輳を制御する輻輳制御方法であって、加入者のＩＰ通信端末を接続するアクセス網と、該加入者に対するＩＰ電話サービスを提供するコア網との間に位置するエッジ領域に配置されたサービスエッジノードにより前記コア網の輻輳状態に応じて前記ＩＰ通信端末からのＩＰ電話の発信要求を制御し、前記エッジ領域に配置されたガイダンスサーバにより前記ＩＰ通信端末へガイダンスサービスを提供する輻輳制御方法。
（２９）前記サービスエッジノードは、前記コア網の輻輳状態とＩＰ電話用の加入者の優先度とに応じて、前記ＩＰ通信端末からのＩＰ電話の発信要求を制御する上記（２８）の輻輳制御方法。
（３０）前記サービスエッジノードは、前記コア網が輻輳状態ではない通常状態にある場合には、加入者の優先度如何によらず、加入者の前記ＩＰ通信端末からのＩＰ電話の発信要求をすべて、前記コア網内にあって、当該加入者を収容してＩＰ電話の接続制御を行う呼制御サーバに対して接続を行う上記（２９）の輻輳制御方法。
（３１）前記サービスエッジノードは、前記コア網が軽輻輳状態にある場合には、優先度が高い優先加入者の前記ＩＰ通信端末からのＩＰ電話の発信要求を前記呼制御サーバに対して接続を行う一方、優先度が低い一般加入者の前記ＩＰ通信端末からのＩＰ電話の発信要求を前記ガイダンスサーバに転送し、該ガイダンスサーバから輻輳状態にある旨のガイダンスを発信元の前記ＩＰ通信端末へ送信する上記（２９）または（３０）の輻輳制御方法。
（３２）前記サービスエッジノードは、前記コア網が重輻輳状態にある場合には、加入者の優先度如何によらず、加入者の前記ＩＰ通信端末からのＩＰ電話の発信要求をすべて、前記ガイダンスサーバに転送し、該ガイダンスサーバから輻輳状態にある旨のガイダンス情報を発信元の前記ＩＰ通信端末へ送信する上記（２９）ないし（３１）のいずれかの輻輳制御方法。
（３３）前記ガイダンスサーバは、前記ＩＰ通信端末からのＩＰ電話の発信要求が転送されてきた際に、発信元の前記ＩＰ通信端末へ送信する前記ガイダンス情報として、前記コア網の輻輳状態を示す音声または映像のいずれかを用いたガイダンスを送信する上記（２８）ないし（３２）のいずれかの輻輳制御方法。
（３４）前記ガイダンスサーバは、前記ＩＰ通信端末からのＩＰ電話の発信要求が転送されてきた際に、発信元の前記ＩＰ通信端末へ接続を拒否した旨を示す接続不可通知信号を送信する上記（２８）ないし（３３）のいずれかの輻輳制御方法。
（３５）上記（２８）ないし（３４）のいずれかの輻輳制御方法を、コンピュータにより実行可能なプログラムとして実施する輻輳制御プログラム。
（３６）上記（３５）の輻輳制御プログラムを、コンピュータにより読み取り可能な記録媒体に記録しているプログラム記録媒体。
【発明の効果】
【００１１】
本発明の輻輳制御システム、サービスエッジノード、ガイダンスサーバ、輻輳制御方法、輻輳制御プログラム及びプログラム記録媒体によれば、以下のような効果を得ることができる。 
【００１２】
ＩＰ電話網では、一般に、従来の電話交換機ベースの電話網とは異なり、加入者を収容する呼制御サーバを分散配置していないため、トラフィックが集中的に発生した場合、輻輳状態が発生し易く、ＩＰ電話がつながりにくくなる、あるいは、ＩＰ電話が全くできなくなるという状態に陥る。さらに、輻輳状態が進行すると、ＩＰ電話網のシステム全体に影響が広がり、輻輳要因（障害箇所）の特定や通常状態への回復にかなりの時間を要することになる。
【００１３】
本発明においては、輻輳制御システムとして、アクセス網とコア網との接続部であるエッジ領域に、輻輳状態に応じて加入者のＩＰ電話の発信動作を制御するサービスエッジノードと、加入者に対して各種ガイダンス（音声ガイダンスや映像ガイダンス）を送信するガイダンスサーバとを配置し、加入者側の電話機やＰＣなどのＩＰ通信端末からの発信要求を、輻輳状態に応じて、ＩＰ電話網の入口で適宜規制することを可能としている。
【００１４】
而して、ＩＰ電話用の加入者を収容する上位のコア網や呼制御サーバ等へのトラフィックの集中を入口で防止することができ、ＩＰ電話網のシステム全体への輻輳状態の波及を防止することが可能となる。また、ガイダンスサーバにより、加入者に対して、輻輳発生を通知する音声ガイダンスを再生したり、あるいは、加入者所有のＩＰ通信端末のディスプレイに対して案内情報（映像ガイダンス）を表示したりすることにより、加入者へ適切な情報を確実に提供することを可能としている。
【発明を実施するための最良の形態】
【００１５】
以下、本発明による輻輳制御システム、サービスエッジノード、ガイダンスサーバ、輻輳制御方法、輻輳制御プログラム及びプログラム記録媒体の好適な実施例について添付図を参照して説明する。以下の説明においては、本発明による輻輳制御システム、輻輳制御方法の実施例について説明するが、かかる輻輳制御方法の１ないし複数の工程（シーケンス）を、コンピュータにより実行可能なプログラムとして実施する輻輳制御プログラムとして実現するようにしても良いし、該輻輳制御プログラムを、コンピュータにより読み取り可能な記録媒体に格納して提供するようにしても良い。
【００１６】
（本発明の特徴）
本発明の実施例の説明に先立って、まず、本発明の特徴について、その概要を説明する。本発明は、ＩＰ電話網において、加入者へＩＰ電話サービスを提供するコア網と、加入者からのコア網へのアクセスを仲介するアクセス網との間に位置するエッジ領域に、コア網の輻輳状態に応じて加入者からの発信動作を規制するサービスエッジノードと加入者へ各種ガイダンス（音声ガイダンスや映像ガイダンス）を送信するガイダンスサーバとを少なくとも含んで構成される輻輳制御システムを配備することにより、コア網の輻輳状態に応じて、さらには、加入者の優先度に応じて、加入者からの発信要求を制御することを可能としている点に、その特徴を有している。
【００１７】
すなわち、本発明は、次のような仕組みを提供することにより、ＩＰ電話網が輻輳状態に陥った場合、ＩＰ電話網の入口となるエッジ領域に配備した輻輳制御システムのサービスエッジノードにおいて、加入者の優先度に応じて、加入者の発信要求を制御する処理を行う。
【００１８】
つまり、サービスエッジノードは、呼制御サーバ等コア網の輻輳状態を検知する輻輳制御ノード等の外部からの輻輳情報を受け取ることにより、当該サービスエッジノードが扱う加入者を収容する呼制御サーバが、通常状態か輻輳状態か、さらに、輻輳状態の場合には、軽輻輳状態であるのかあるいは重輻輳状態であるのかを判断し、加入者からの発信要求を受け取った際に、該加入者の優先度を参照して、加入者からの発信要求の転送先の切替制御を行う。
【００１９】
上位のコア網の呼制御サーバが輻輳した場合の動作の一例について、図２、図３を用いてさらに説明する。ここで、緊急を要する優先加入者例えば警察や消防などの優先加入者を加入者Ａと表現し、緊急性が低い一般的な加入者を加入者Ｂと表現することにする。図２は、本発明による輻輳制御システムにおける軽輻輳時の動作の一例を示す説明図であり、図３は、本発明による輻輳制御システムにおける重輻輳時の動作の一例を示す説明図である。
【００２０】
図２、図３のいずれにおいても、ＩＰ電話呼用の呼制御サーバ５を接続するコア網６と加入者Ａ（優先加入者）１２、加入者Ｂ（一般加入者）１３を接続するアクセス網８との間に位置するエッジ領域に、加入者Ａ  １２、加入者Ｂ  １３とコア網６との接続サービスを、コア網６や呼制御サーバ５等の輻輳状態及び加入者種別に応じて制御するサービスエッジノード１と加入者Ａ  １２、加入者Ｂ  １３への各種ガイダンス（音声ガイダンスや映像ガイダンス）や接続不可通知信号などの制御信号を送信するガイダンスサーバ２とを少なくとも含む輻輳制御システム３が配置された状態で構成されている。
【００２１】
例えば、加入者を収容する上位の呼制御サーバ５に軽輻輳状態が発生していた場合に、図２に示すように、輻輳制御システム３において、サービスエッジノード１は、発信要求の加入者が優先加入者の加入者Ａ  １２であることを識別した場合には、通常通り、該呼制御サーバ５への接続を実施するために、通常の経路に発信要求の呼を転送する。しかし、発信要求の加入者が一般加入者の加入者Ｂ  １３であることを識別した場合には、通常通りの処理を行うと、該呼制御サーバ５の負荷がさらに上がり、輻輳状態をさらに助長するため、ガイダンスサーバ２への接続に切り替える。
【００２２】
この結果、一般加入者の加入者Ｂ  １３に対しては、ガイダンスサーバ２から「ただいま電話が混み合っていますので、しばらく時間を置いてからお掛け直しください。」といった案内情報が音声ガイダンスや映像ガイダンスとして提供される。従来のＩＰ電話網においても、ガイダンスサーバ（案内装置）による案内サービスは提供されているが、従来のＩＰ電話網の場合には、ガイダンスサーバ（案内装置）を呼制御サーバと接続を行った後に、該呼制御サーバを介して加入者に対して接続するように構成しているため、呼制御サーバへの負荷の軽減にはならないし、また、加入者への案内サービスを確実に提供することができるという保証はない。
【００２３】
一方、本発明においては、呼制御サーバ５等の上位装置への負荷を軽減するとともに、輻輳状態のさらなる助長を防止するために、ガイダンスサーバ２を、コア網６への入口となるエッジ領域に配備し、上位装置の呼制御サーバ５を介することなく、加入者例えば加入者Ｂ  １３へのガイダンスサービスを提供することを可能としている。
【００２４】
さらに、ガイダンスサーバ２は、加入者側への音声や映像によるガイダンスサービスを提供するだけではなく、ＩＰ電話の発信を拒否したことを示す接続不可通知信号を、発信要求をした加入者Ｂ  １３などのＩＰ通信端末に送信することも可能としている。ＩＰ通信端末は、接続不可通知信号を受け取った際に、「ＩＰ電話が混み合っており、１０分間は発信要求を受け付けることができません。」といった情報に編集して、当該ＩＰ通信端末のディスプレイに表示を行うことも可能である。
【００２５】
また、加入者を接続するアクセス網８や該アクセス網８へのゲートウェイ機能を司るゲートウェイが、加入者向けの接続不可通知信号を受信することによって、アクセス網８やゲートウェイ自体が、ＩＰ電話網への発信を規制することも可能である。あるいは、加入者側に接続不可通知信号を転送する代わりに、アクセス網８やゲートウェイにて接続不可通知信号を終端させて、アクセス網８やゲートウェイにて「ＩＰ電話が混み合っており、１０分間は発信要求を受け付けることができません。」といったテキスト情報や図形情報などに編集して、編集したテキスト情報や図形情報を加入者側に送信するようにしても良い。
【００２６】
一方、呼制御サーバ５の負荷がさらに上がり、接続要求に対して応答することができないような重輻輳状態に陥った場合には、図３に示すように、輻輳制御システム３において、サービスエッジノード１は、当該呼制御サーバ５に対する一切の発信要求を受付けない状態に移行して、優先加入者を含め全ての加入者からの発信要求をガイダンスサーバ２へ接続する状態に切り替える。このような重輻輳の場合も、図２の軽輻輳の場合と同様に、ガイダンスサーバ２は、前述したように、加入者側への音声や映像によるガイダンスサービスの提供だけではなく、ＩＰ電話の発信を拒否したことを示す接続不可通知信号を、加入者Ａ  １２、加入者Ｂ  １３などのＩＰ通信端末やアクセス網８やゲートウェイに対して送信することが可能である。
【００２７】
（実施例の構成）
図１は、本発明による輻輳制御システムを適用したネットワーク構成の一例を示すシステム構成図である。図１に示すように、加入者のＩＰ通信端末を接続するアクセス網８と加入者へＩＰ電話サービスを提供するコア網６との間のエッジ領域に、サービスエッジノード１とガイダンスサーバ２とを少なくとも含んで構成される輻輳制御システム３を設置することにより、電話機１０やＰＣ１１などのＩＰ通信端末からの発信要求に対して、コア網６や加入者を収容する呼制御サーバ５等の上位装置の輻輳状態に応じて、規制をかけることができるように構成している。
【００２８】
かくのごとき輻輳制御システム３の構成により、サービスエッジノード１は、上位のコア網６や呼制御サーバ５の輻輳状態を示す情報が例えば輻輳制御ノード４等の外部から通知されると、ＩＰ電話サービスを提供するコア網６への入口となるエッジ領域において、電話機１０やＰＣ１１などのＩＰ通信端末からの発信要求を規制することが可能であり、呼制御サーバ５等の上位の装置へのトラフィックの集中を確実に回避することが可能となる。さらには、ガイダンスサーバ２は、輻輳状態に陥った上位のコア網６や呼制御サーバ５を経由することなく、コア網６への入口となるエッジ領域から、ルータ７を介して、アクセス網８、ゲートウェイ機能を司るゲートウェイ９（またはモデム）を経由して、加入者側の電話機１０やＰＣ１１などのＩＰ通信端末に対して、輻輳通知用の音声や映像のガイダンスや接続不可通知信号を確実に送信することが可能となる。
【００２９】
サービスエッジノード１は、ＳＢＣ（Session Border Controller:セッションボーダコントローラ）機能などのＶｏＩＰ（Voice over ＩＰ）サービスの制御機能を有する装置であり、コア網６や呼制御サーバ５等の上位装置の輻輳状態と加入者種別とに応じて、加入者からの発信要求を制御する。ガイダンスサーバ２は、音声ガイダンスや映像ガイダンスを電話機１０やＰＣ１１などのＩＰ通信端末に対して提供する装置である。また、ガイダンスサーバ２は、電話機１０やＰＣ１１などのＩＰ通信端末への音声や映像などのガイダンス再生だけではなく、電話機１０やＰＣ１１などのＩＰ通信端末に対して、あるいは、アクセス網８やゲートウェイ９に対して、接続が不可能である旨を示す接続不可通知信号などの制御信号も送信する。
【００３０】
また、本実施例においては、サービスエッジノード１とガイダンスサーバ２とは、機能上、分離した形で説明をしているが、別々の装置として構成しても、あるいは、両者の機能を兼ね備えた一つの装置として構成しても良い。なお、図１に示す輻輳制御ノード４は、コア網６や呼制御サーバ５等の上位の装置の輻輳状態を監視し、呼制御サーバ５自身に通知したり、輻輳制御システム３を構成するサービスエッジノード１やガイダンスサーバ２へ輻輳状態の発生を通知したりするための装置である。
【００３１】
（実施例の動作の説明）
次に、図１に示す本発明の一例の輻輳制御システム３の動作について、図４〜図６のシーケンス図を参照して、従来のＩＰ電話網の輻輳制御の動作と比較しながら説明する。図４は、本発明の輻輳制御システムにおける軽輻輳時の場合の動作の一例を示すシーケンス図であり、図５は、本発明の輻輳制御システムにおける重輻輳時の場合の動作の一例を示すシーケンス図であり、いずれも、図１の輻輳制御システム３の動作を例にとって示している。また、図６は、従来のＩＰ電話網における輻輳制御動作を説明するためのシーケンス図である。
【００３２】
まず、従来のＩＰ電話網における輻輳制御動作について説明する。図６で示すように、従来のＩＰ電話網の場合、通常時は、電話機１０などのＩＰ通信端末からの発信要求により、呼制御サーバ５への接続を行う（シーケンスＳＱ２１）。一方、輻輳時においても、電話機１０などのＩＰ通信端末からの発信要求があると、呼制御サーバ５へ接続を行っている（シーケンスＳＱ２２）。しかる後、輻輳状態にある旨の通知を行うために、ガイダンスサーバとの接続を行い（シーケンスＳＱ２３），ガイダンスサーバから呼制御サーバ５を経由した経路で、発信要求元の電話機１０などのＩＰ通信端末に対して、ガイダンス再生サービスを提供する（シーケンスＳＱ２４）。つまり、通常時や輻輳時の如何に関わらず、全ての発信要求について、呼制御サーバ５を経由した通信を行うように制御している。
【００３３】
一方、本発明による輻輳制御システム３においては、図４に示すように、通常時は、従来のＩＰ電話網と同様、電話機１０などのＩＰ通信端末からの発信要求があると、サービスエッジノード１を介して呼制御サーバ５への接続を行う（シーケンスＳＱ１）。しかし、呼制御サーバ５等の上位の装置の輻輳状態を監視する輻輳制御ノード４等の外部から軽輻輳の状態通知を、サービスエッジノード１が受け取った場合（シーケンスＳＱ２）、通知された輻輳状態の内容と発信要求を行うＩＰ通信端末の優先度に応じて、発信要求の接続先を変更する。なお、輻輳の状態通知に関しては、輻輳制御ノード４等の外部装置からの指示だけではなく、ユーザによる発信規制用のコマンドなどのコマンド投入といった人的介入も含む。また、サービスエッジノード１が、当該サービスエッジノード１が処理しているトラフィック処理の閾値（単位時間当たりあらかじめ定めた一定の呼数や呼量あるいは同時接続数など）により、自律的に、接続先を切り替える場合も存在する。
【００３４】
また、サービスエッジノード１が接続先をガイダンスサーバ２へ切替を行う状態に設定しても、優先加入者の加入者ＡのＩＰ通信端末（電話機１０など）からなされた発信要求の場合には、通常時と同様に、呼制御サーバ５への接続を行う（シーケンスＳＱ３）。一方、一般加入者である加入者ＢのＩＰ通信端末（電話機１０など）からなされた発信要求の場合には（シーケンスＳＱ４）、サービスエッジノード１は、発信要求をガイダンスサーバ２へ転送する（シーケンスＳＱ５）。ガイダンスサーバ２は、サービスエッジノード１から発信要求を受け取ると、一般加入者である加入者ＢのＩＰ通信端末（電話機１０など）に対して、輻輳状態を通知するためのガイダンス再生を行う（シーケンスＳＱ６）。
【００３５】
また、ガイダンスサーバ２は、呼制御サーバ５への発信要求のトラフィックが集中して、処理可能な呼数としてあらかじめ定めた閾値を超えた場合や輻輳制御ノード４等からの輻輳の状態通知の指示内容などに応じて、電話機１０などのＩＰ通信端末に対して、接続不可通知信号を通知する（シーケンスＳＱ７）。なお、接続不可通知信号を終端する装置は、電話機１０などのＩＰ通信端末であっても良いし、アクセス網８やゲートウェイ９等であっても構わない。
【００３６】
電話機１０などのＩＰ通信端末やアクセス網８やゲートウェイ９等が接続不可通知信号をガイダンスサーバ２から受信すると、接続不可通知信号の内容を基にして、電話機１０などのＩＰ通信端末のディスプレイに接続不可の旨を表示させたり、電話機１０などのＩＰ通信端末に対して音声ガイダンスや映像ガイダンスを流したりすることができる。また、電話機１０などのＩＰ通信端末やアクセス網８やゲートウェイ９等は、いずれも、以降の発信要求を受け付けないように発信規制をかける仕組みを有しており、ガイダンスサーバ２からの接続不可通知信号を受け取ることにより、以降、発信規制を行うことができる。
【００３７】
次に、呼制御サーバ５等の上位装置が重輻輳状態に陥った場合について説明する。図５に示すように、本発明による輻輳制御システム３においては、通常時は、従来のＩＰ電話網と同様、電話機１０などのＩＰ通信端末からの発信要求があると、呼制御サーバ５への接続を行う（シーケンスＳＱ１１）。しかし、呼制御サーバ５等の上位の装置の輻輳などの状態を監視する輻輳制御ノード４等の外部から重輻輳の状態通知を、サービスエッジノード１が受け取った場合（シーケンスＳＱ１２）、加入者からの発信要求があると（シーケンスＳＱ１３，ＳＱ１７）、優先加入者も含め全ての加入者からの発信要求をガイダンスサーバ２に転送する（シーケンスＳＱ１４，ＳＱ１８）。その結果、電話機１０などのＩＰ通信端末は、加入者が優先か否かの区別なく、ガイダンスサーバ２からガイダンス再生および／または接続不可通知信号を受け取ることになる（シーケンスＳＱ１５，ＳＱ１９および／またはＳＱ１６，ＳＱ２０）。
【００３８】
（効果の説明）
ＩＰ電話網では、一般に、従来の電話交換機ベースの電話網とは異なり、加入者を収容する呼制御サーバ５を分散配置していないため、トラフィックが集中的に発生した場合、輻輳状態が発生し易く、ＩＰ電話がつながりにくくなる、あるいは、ＩＰ電話が全くできなくなるという状態に陥る。さらに、輻輳状態が進行すると、ＩＰ電話網のシステム全体に影響が広がり、輻輳要因（障害箇所）の特定や通常状態への回復にかなりの時間を要することになる。
【００３９】
これに対して、本実施例においては、輻輳制御システムとして、アクセス網８とコア網６との接続部であるエッジ領域に、輻輳状態に応じて加入者のＩＰ電話の発信動作を制御するサービスエッジノード１と、加入者に対して各種ガイダンス（音声ガイダンスや映像ガイダンス）を送信するガイダンスサーバ２とを配置し、加入者側の電話機１０やＰＣ１１などのＩＰ通信端末からの発信要求を、輻輳状態に応じて、ＩＰ電話網の入口で適宜規制することを可能としている。
【００４０】
而して、ＩＰ電話用の加入者を収容する上位のコア網６や呼制御サーバ５等へのトラフィックの集中を入口で防止することができ、ＩＰ電話網のシステム全体への輻輳状態の波及を防止することが可能となる。また、ガイダンスサーバ２により、加入者に対して、輻輳発生を通知する音声ガイダンスを再生したり、あるいは、加入者所有のＩＰ通信端末のディスプレイに対して案内情報（映像ガイダンス）を表示したりすることにより、加入者へ適切な情報を確実に提供することを可能としている。
【００４１】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【図面の簡単な説明】
【００４２】
【図１】本発明による輻輳制御システムを適用したネットワーク構成の一例を示すシステム構成図である。
【図２】本発明による輻輳制御システムにおける軽輻輳時の動作の一例を示す説明図である。
【図３】本発明による輻輳制御システムにおける軽輻輳時の動作の一例を示す説明図である。
【図４】本発明の輻輳制御システムにおける軽輻輳時の場合の動作の一例を示すシーケンス図である。
【図５】本発明の輻輳制御システムにおける重輻輳時の場合の動作の一例を示すシーケンス図である。
【図６】従来のＩＰ電話網における輻輳制御動作を説明するためのシーケンス図である。
【符号の説明】
【００４３】
１        サービスエッジノード
２        ガイダンスサーバ
３        輻輳制御システム
４        輻輳制御ノード
５        呼制御サーバ
６        コア網
７        ルータ
８        アクセス網
９        ゲートウェイ
１０      電話機
１１      ＰＣ
１２      加入者Ａ（優先加入者）
１３      加入者Ｂ（一般加入者）
【図１】
2008244685.tif 000003
【図２】
2008244685.tif 000004
【図３】
2008244685.tif 000005
【図４】
2008244685.tif 000006
【図５】
2008244685.tif 000007
【図６】
2008244685.tif 000008